(57)【要約】      （修正有）【課題】屋根に固定した金具本体にワンタッチでパイプの装着を可能とした新規なパイプ取付金具の提供。【解決手段】金具本体１を屋根Ｂの所定位置（横列状態）に固定し、パイプ受け部１３上に消雪パイプＡを載置し、後方係止孔１３１に差込突片２２を差し入れて係止し、押さえ部２１でパイプＡを覆う状態で押さえ込むと共に、操作片２３の先端を下圧しながら折り返し部分を前方係止孔１３２に押し込み、係止突起２４が前方係止孔１３２の前面に出たところで操作片２３の下圧を解除すると、操作片２３の折り返し片部分が前方係止孔１３２の上内縁を強く押圧し、係止突起２４の前方係止孔１３２の上内縁への係止がしっかりとなされ、消雪パイプＡが金具本体１とクリップ体２とで抱持されるものである。【選択図】図１
2006233491.tif 000002
【特許請求の範囲】
【請求項１】
金具本体と前記金具本体に装着するクリップ体で構成され、金具本体が屋根装着部及び略Ｌ状のパイプ受け部を備え、且つ前記パイプ受け部に装着対象のパイプを載置した際のパイプ両側に対応する箇所に係止孔を形成し、クリップ体がパイプ受け部に装着対象のパイプを載置した際にパイプを覆う押さえ部と、押さえ部両端に前記係止孔に引っ掛けて係止する係止部を備えてなることを特徴とする屋根消雪パイプの取付用金具。
【請求項２】
一方の係止部を差込突片に形成すると共に、一方の係止孔を前記差込突片が挿入係止される形状とし、他方の係止部を略Ｖ状に折り返した操作片及び操作片に設けた係止突起で構成し、他方の係止孔を操作片の折り返し部分が挿入され、孔縁に係止突起が係止される大きさに形成した請求項１記載の屋根消雪パイプの取付用金具。
【請求項３】
金具本体が、底面部と、前面部と、前面部の頂部から後方に延設したパイプ受け部を備え、底面部及びパイプ受け部の後方に横葺き屋根の折り返し部を挟持固定する屋根装着部を設けてなる請求項１又は２記載の屋根消雪パイプの取付用金具。
【請求項４】
金具本体が、板状体の先部を立ち上げてパイプ受け部が形成されると共に、板状体の後部に釘着板による屋根装着部を設けてなる請求項１又は２記載の屋根消雪パイプの取付用金具。
【発明の詳細な説明】
【技術分野】
【０００１】
本発明は、散水や放熱によって消雪するパイプ体を屋根に設置するための取付用金具に関するものである。
【背景技術】
【０００２】
屋根の積雪に対して雪下ろしを行う煩雑さを解消するために従前より種々の屋根積雪の消雪手段が提案されている。その一つとして屋根に散水パイプを設置し、散水によって消雪することや、放熱パイプを屋根に設置して熱融雪によって消雪する手段が知られている。
【０００３】
前記の散水パイプや放熱パイプを屋根に固定する手段として、屋根の巻ハゼ部分を挟持する挟持固定部にパイプ挿通部を形成した金具（特許文献１，２）を使用したり、挟持固定部にパイプ挿通部を螺子止めして付設した金具（特許文献３）を使用することが知られている。
【０００４】
又前記の専用金具を使用しない場合には、適宜な屋根用雪止め金具を使用し、パイプを針金などで金具に結束する手段が採用されている。
【０００５】
更に特許文献４には、屋根に支持棒を設置固定し、パイプを抱持する金具を前記支持棒に連結固定する手段が開示されている。
【０００６】
【特許文献１】意匠登録第１１６７３１１号公報。
【特許文献２】意匠登録第１１６７３１２号公報。
【特許文献３】特開２００４−１３２０６０号公報。
【特許文献４】特開２００２−３２２８２８号公報。
【発明の開示】
【発明が解決しようとする課題】
【０００７】
前記したパイプ体の屋根への設置手段は、金具を屋根の所定位置に固定した後、パイプの装着を行うが、長尺のパイプを横列又は縦列した各金具のパイプ挿通部に順次挿通する作業が煩雑であるし、勿論針金によるパイプの結束固定はより煩雑な作業となる。
【０００８】
また特許文献４に記載の支持棒の採用は、瓦屋根のような特別に金具の固定が困難な場合にのみ対象となるもので、特許文献１，２，３記載の金具が採用できる屋根においては、支持棒を別置することは、コストアップの原因となる。
【０００９】
そこで本発明は、屋根に固定した金具本体にワンタッチでパイプの装着を可能とした新規なパイプ取付金具を提案したものである。
【課題を解決するための手段】
【００１０】
本発明に係る屋根消雪パイプの取付用金具は、金具本体と前記金具本体に装着するクリップ体で構成され、金具本体が屋根装着部及び略Ｌ状のパイプ受け部を備え、且つ前記パイプ受け部に装着対象のパイプを載置した際のパイプ両側に対応する箇所に係止孔を形成し、クリップ体がパイプ受け部に装着対象のパイプを載置した際にパイプを覆う押さえ部と、押さえ部両端に前記係止孔に引っ掛けて係止する係止部を備えてなることを特徴とするものである。
【００１１】
従って金具本体を屋根の所定位置に固定し、パイプ受け部上に消雪パイプ（散水パイプや放熱パイプ）を載置し、クリップ体の両端の係止部を係止孔に引っ掛けることでパイプを金具本体に装着することができる。
【００１２】
又本発明（請求項２）は、特に前記の金具において、一方の係止部を差込突片に形成すると共に、一方の係止孔を前記差込突片が挿入係止される形状とし、他方の係止部を略Ｖ状に折り返した操作片及び操作片に設けた係止突起で構成し、他方の係止孔を操作片の折り返し部分が挿入され、孔縁に係止突起が係止される大きさに形成したものである。
【００１３】
従ってクリップ体の係止孔への装着に際して、差込突片を係止孔に差し込んだ状態で、操作片の折り返し部分を折り返した対向辺を押圧近接して係止孔に圧入し、操作片の押圧を解除すると操作片がその弾性で係止孔縁部を強く圧し、係止突起が係止孔縁を越えてクリップ体が外れるのを防止している。
【発明の効果】
【００１４】
本発明の構成は上記のとおりであるから、屋根の所定位置に金具本体を装着し、消雪パイプを金具本体に載置し、クリップ体でパイプを固定するのみでパイプが設置され、パイプ設置の作業能率を格段に向上させるものである。
【発明を実施するための最良の形態】
【００１５】
次に本発明の実施形態について説明する。図１，２に示した消雪パイプＡの取付金具（第一実施形態）は、屋根板Ｂが峰と平行に折り返して連繋接続される横葺き屋根に使用する金具で、金具本体１とクリップ体２とで構成される。
【００１６】
金具本体１は、基本的に従前の横葺き屋根用の雪止め金具と同様で、屋根板Ｂ上に載置される底面部１１と、底面部先端を立ち上げた前面部１２と、前面部１２の頂部から後方に延設したパイプ受け部１３と、底面部１１及びパイプ受け部１３の後方に設けた屋根装着部１４を備えている。
【００１７】
屋根装着部１４は、底面部１１の延長となる差込部１４１と、パイプ受け部１３の延長となる押圧部１４２と、差込部１４１から直立させたボルト部１４３と、ボルト部１４３に螺合した挟圧ナット１４４からなり、横葺き屋根の折り返し部を挟持固定するようにしたものである。
【００１８】
またパイプ受け部１３は、横方向に配置される消雪パイプＡが安定して載置されるように側面視略Ｌ状の凹部形状に形成したものであり、消雪パイプＡを前記凹部に載置した際におけるパイプ両側（横設パイプの前後方向）と対応する箇所（Ｌ状辺の前後辺箇所）に係止孔１３１，１３２を形成したものである。
【００１９】
特に後方係止孔１３１は、後述するクリップ体２の差込突片が差し入れられる大きさとし、前方係止孔１３２は、操作片が挿入できる大きさとしたものである。
【００２０】
クリップ体２は、消雪パイプを覆う形状の押さえ部２１と、後方の差込突片（係止部）２２と前方の操作片（係止部）２３を備えてなり、特に操作片２３は、略Ｖ状（折り返し部分に所定の弾性を備える形状を意味する）に折り返したもので、折り返し前面部分に係止突起２４を設けたものである。
【００２１】
而して金具本体１を屋根Ｂの所定位置（横列状態）に固定し、パイプ受け部１３上に消雪パイプＡを載置し、後方係止孔１３１に差込突片２２を差し入れて係止し、押さえ部２１でパイプＡを覆う状態で押さえ込むと共に、操作片２３の先端を下圧しながら折り返し部分を前方係止孔１３２に押し込み、係止突起２４が前方係止孔１３２の前面に出たところで操作片２３の下圧を解除すると、操作片２３の折り返し片部分が前方係止孔１３２の上内縁を強く押圧し、係止突起２４の前方係止孔１３２の上内縁への係止がしっかりとなされ、消雪パイプＡが金具本体１とクリップ体２とで抱持されるものである。
【００２２】
また図３は、第二実施形態を示すもので、金具本体１が瓦屋根や横葺き屋根の屋根下地に釘着して屋根に装着される金具の例で、板状本体部３１の前面を立ち上げた前面板部３２とし、板状本体部３１と前面板部３２とでパイプ受け部３３を形成し、板状本体部３１と前面板部３２の所定箇所に各々係止孔３３１，３３２を設けたものであり、屋根装着部３４は、従前の雪止め金具と同様に、釘孔３４１を穿設した釘着板３４２を板状本体部３１の後方に連結したものである。
【００２３】
尚クリップ体２はまったく同様のものが使用でき、クリップ体２に合わせて前記係止孔３３１，３３２の形状を決定する。
【００２４】
而して屋根葺き工事に際して前記金具本体３を、屋根所定位置に釘着しながら屋根葺きを行い、パイプ設置に際して金具本体３のパイプ受け部（板状本体部３１と前面板部３２の角部分）３３にパイプＡを載置し、クリップ体２を装着することでパイプＡが屋根に固定設置されるものである。
【００２５】
尚上記両実施形態共に、消雪パイプＡの径の大小の相違に対しては、クリップ体２における押さえ部の形状を異ならせることで容易に対応できるものである。
【図面の簡単な説明】
【００２６】
【図１】本発明の第一実施形態の全体斜視図。
【図２】同消雪パイプの装着状態の断面図。
【図３】本発明の第二実施形態の消雪パイプの装着状態の斜視図。
【符号の説明】
【００２７】
１          金具本体
１１        底面部
１２        前面部
１３        パイプ受け部
１３１      後方係止孔
１３２      前方係止孔
１４        屋根装着部
１４１      差込部
１４２      押圧部
１４３      ボルト部
１４４      挟圧ナット
２          クリップ体
２１        押さえ部
２２        差込突片（係止部）
２３        操作片（係止部）
２４        係止突起
３          金具本体
３１        板状本体部
３２        前面板部
３３        パイプ受け部
３３１，３３２  係止孔
３４        屋根装着部
３４１      釘孔
３４２      釘着板
【図１】
2006233491.tif 000003
【図２】
2006233491.tif 000004
【図３】
2006233491.tif 000005